(57)【要約】  １つの送信機と、それぞれが最大受信帯域幅を有する複数の移動端末（ＭＴ）とを備える広帯域通信システムにおいて、各ＭＴの共有制御チャネル（ＳＣＣＨ）をマッピングして、対応する物理共有制御チャネル（ＰＳＣＣＨ）からの物理チャネルシンボルが、最大受信帯域幅のうちの最も小さな最大受信帯域幅によって規定される連続したサブキャリアのブロックに制限されるようにする。
2009524268.tif 000002
【特許請求の範囲】
【請求項１】
広帯域通信システムにおける物理資源管理方法であって、該システムは、送信帯域幅を占有する複数の物理サブキャリアで、送信を行う少なくとも１つの送信機と、それぞれ最大受信帯域幅を有する複数の移動端末（ＭＴ）とを備え、該方法は、
前記複数のＭＴの中から最小の最大受信帯域幅を特定するステップと、
前記各ＭＴに対して共有制御チャネル（ＳＣＣＨ）をマッピングして、対応する物理共有制御チャネル（ＰＳＣＣＨ）からの物理チャネルシンボルが、前記複数のＭＴのうち、前記最小の最大受信帯域幅によって規定される連続サブキャリアのブロックに制限されるようにするステップと、を含んでいる物理資源管理方法。
【請求項２】
前記各ＭＴに対して前記ＳＣＣＨをマッピングするステップは、対応するＰＳＣＣＨの物理チャネルシンボルに、他のＭＴそれぞれのＰＳＣＣＨと同じ数のサブキャリアを占有させるようにするステップを含む、請求項１に記載の物理資源管理方法。
【請求項３】
前記各ＭＴに対して前記ＳＣＣＨをマッピングするステップは、対応するＰＳＣＣＨからの物理チャネルシンボルに、他のＭＴそれぞれのＰＳＣＣＨと同位置マッピングパターンを持たせるようにするステップを含む、請求項１又は２に記載の物理資源管理方法。
【請求項４】
前記各ＭＴに対して前記ＳＣＣＨをマッピングするステップは、物理チャネルシンボルを、その対応ブロック内の連続したサブキャリア位置にマッピングするステップを含む、請求項３に記載の物理資源管理方法。
【請求項５】
前記各ＭＴに対して前記ＳＣＣＨをマッピングするステップは、物理チャネルシンボルを、その対応ブロック内の分散したサブキャリア位置にマッピングするステップを含む、請求項３に記載の物理資源管理方法。
【請求項６】
前記各ＰＳＣＣＨに受信される少なくとも１つのチャネル品質指示（ＣＱＩ）に基づいて、少なくとも１つのＰＳＣＣＨに割り当てられた電力及び／又はサブキャリア位置を調整するステップをさらに含む、請求項１〜５のいずれか一項に記載の物理資源管理方法。
【請求項７】
前記各ブロック内で前記各ＰＳＣＣＨから、物理チャネルシンボルによって占有される前記サブキャリア位置を選択し、前記ブロック内の全てのＰＳＣＣＨに割り当てられる前記全電力が最小になるようにするステップをさらに含む、請求項１〜６のいずれか一項に記載の物理資源管理方法。
【請求項８】
前記各ＰＳＣＣＨから、物理チャネルシンボルによって占有される前記サブキャリア位置を選択し、全てのＰＳＣＣＨに割り当てられる前記全電力が全送信帯域幅にわたって、最小になるようにするステップをさらに含む、請求項１〜７のいずれか一項に記載の物理資源管理方法。
【請求項９】
前記割当ては、ＰＳＣＣＨ毎に、受信される複数のＣＱＩに基づいて行われる、請求項６〜８のいずれか一項に記載の物理資源管理方法。
【請求項１０】
複数の送信時間間隔（ＴＴＩ）にわたって、前記受信されるＣＱＩを平均することによって、チャネル品質を評価するステップをさらに含む、請求項７〜９のいずれか一項に記載の物理資源管理方法。
【請求項１１】
等送信時間間隔（ＴＴＩ）内において、ＰＳＣＣＨによって占有される１組のサブキャリアに関連して、受信される複数のＣＱＩを平均することによってチャネル品質を評価するステップをさらに含む、請求項７〜１０のいずれか一項に記載の物理資源管理方法。
【請求項１２】
前記広帯域通信システムは、直交周波数分割多重アクセス（ＯＦＤＭＡ）原理に従って動作する、請求項１〜１１のいずれか一項に記載の物理資源管理方法。
【請求項１３】
前記送信帯域幅は、５ＭＨｚ、１０ＭＨｚ、１５ＭＨｚ及び２０ＭＨｚを含むグループから選択される、請求項１〜１２のいずれか一項に記載の物理資源管理方法。
【請求項１４】
前記各ＭＴの前記最大受信帯域幅は、帯域幅５ＭＨｚ、１０ＭＨｚ、１５ＭＨｚ又は２０ＭＨｚのうちの１つである、請求項１〜１３のいずれか一項に記載の物理資源管理方法。
【請求項１５】
送信帯域幅を占有する複数の物理サブキャリアにより送信を行うと共に、複数の移動端末と共に広帯域通信システムの一部を形成する基地局であって、請求項１〜１４のいずれか一項に記載の方法を実施する１つ又は複数の構成要素を備える、基地局。
【発明の詳細な説明】
【技術分野】
【０００１】
本発明は、一般的には広帯域通信システムに関し、特に、そのような広帯域通信システムにおいて物理資源を管理する方法に関する。本発明は、ＯＦＤＭＡネットワーク内で異なる能力を有する移動端末のための共有制御チャネルを管理する際に用いるのに適しており、都合上、本発明を例示的にこの用途に関連して説明するが、本発明はこの場合に限定されるものではない。
【背景技術】
【０００２】
便宜上、本明細書の詳細な説明全体を通して、たとえば、ユーザ装置及びＵＥのように、３ＧＰＰ（第３世代パートナーシッププロジェクト）によって採用される用語が用いられる。しかしながら、本発明は、３ＧＰＰ標準規格に従って実施されるシステムにおいて用いられることに限定されるものと見なされるべきではない。
【０００３】
直交周波数分割多重アクセス（ＯＦＤＭＡ）システムは、周波数領域及び時間領域を分割し、各ユーザにサブチャネルを割り当てる。各サブチャネルは、複数のサブキャリア（周波数領域）及び複数のタイムスロット（時間領域）を含む。ＯＦＤＭＡシステムは、時間及び周波数の両方の領域を考慮に入れながら、資源割当てを実行することによって、限られた周波数資源を用いて多数のユーザを収容することができる多重アクセス方式を基にする。
【０００４】
ＯＦＤＭＡシステムは、２０ＭＨｚまでの柔軟な送信帯域に対応することを目的としている。しかしながら、低い能力を有するユーザ装置（ＵＥ）にも対応しなければならない。ＵＥ能力は、ＵＥが対応することができる最大受信帯域幅と定義される。図１には、２０ＭＨｚの送信帯域幅を有すると共に種々のＵＥ能力に対応するＯＦＤＭＡシステム内の例示的な１組のキャンプ帯域（camp band）が１０であらわされている。この図から明らかなように、２０ＭＨｚ送信帯域幅内では、２０ＭＨｚ  ＵＥ能力用の１つのキャンプ帯域と、５ＭＨｚ  ＵＥ能力、１０ＭＨｚ  ＵＥ能力、１５ＭＨｚ  ＵＥ能力用の複数のキャンプ帯域とを有することができる。１５ＭＨｚ  ＵＥ用の３つのキャンプ帯域１４、１６及び１８が示され、１０ＭＨｚ  ＵＥ用の３つのキャンプ帯域２０、２２及び２４が示され、５ＭＨｚ  ＵＥ用の７つのキャンプ帯域２６〜３８が示されている。
【０００５】
このようなシステムでは、種々のＵＥは、まず、送信帯域幅４０内で報知チャネル（ＢＣＨ）、同期チャネル（ＳＹＮＣＨ）及び呼出チャネル（ＰＣＨ）から情報を受信するために、中心周波数にキャンプする。ＵＥは、セル探索手順、時間及び周波数の補正、並びに基地局との同期を実行すると、帯域幅４０内から図１に示される複数のキャンプ帯のうちの１つに移動するようにＵＥに指示する情報が受信されるまで、待受け状態になる。その状態になると、ＵＥは共有制御チャネル（ＳＣＣＨ）をモニタし、共有データチャネル上に次に受信される情報が、そのＵＥに向けられる時期を決定する。
【０００６】
ＵＥ毎のトランスポート共有制御チャネル（ＳＣＣＨ）からの情報が、各ＵＥに送信するための物理共有制御チャネル（ＰＳＣＣＨ）にマッピングされる。ＯＦＤＭＡシステムでは、いずれのＵＥも、そのＵＥの受信帯域幅容量に対応するキャンプ帯域内のＰＳＣＣＨだけを受信することが意図されている。さらに、種々の受信帯域幅容量を有するＵＥへの送信を、同じ送信時間間隔（ＴＴＩ）内でスケジューリングできるように、予定されている。ＳＣＣＨ及びＰＳＣＣＨの構造は、送信帯域内のＵＥのキャンプ帯域の位置に関係なく、どのＵＥも同じ処理を適用して、共有制御チャネルを受信することができるようになされるべきである。最後に、システム内の全ての利用可能なＳＣＣＨは、複数のセットにグループ化することができる。各ＳＣＣＨセットは、複数のＳＣＣＨを含むことができる。各ＵＥは、その能力に応じて、１つ又は複数のＳＣＣＨセットをモニタすることを要求される。
【発明の開示】
【発明が解決しようとする課題】
【０００７】
種々の能力を有する全てのＵＥ間で物理資源を効率的に共有できるようにし、且つ全てのＵＥのための共有制御チャネル性能を効率的に制御できるようにしながら、これらの要件を満たす、広帯域通信システムにおける物理資源管理方法を提供することが望ましいであろう。
【０００８】
また、既知の物理資源管理方法の１つ又は複数の不都合な点を改善又は克服する、広帯域通信システムにおける物理資源管理方法を提供することが望ましいであろう。
【課題を解決するための手段】
【０００９】
第１の態様において、本発明は、広帯域通信システムにおける物理資源管理方法であって、当該システムは、或る送信帯域幅を占有する複数の物理サブキャリア上で送信する少なくとも１つの送信機と、それぞれが最大受信帯域幅を有する複数の移動端末（ＭＴ）とを含み、当該方法は、
複数のＭＴの中から最小の最大受信帯域幅を特定するステップと、
各ＭＴに共有制御チャネル（ＳＣＣＨ）をマッピングして、対応する物理共有制御チャネル（ＰＳＣＣＨ）からの物理チャネルシンボルが、複数のＭＴの中の最小の最大受信帯域幅によって規定される連続したサブキャリアのブロックに制限されるようにするステップと、を含む物理資源管理方法を提供する。各ＭＴにＳＣＣＨをマッピングするステップは、対応するＰＳＣＣＨの物理チャネルシンボルが、他のＭＴそれぞれのＰＳＣＣＨと同じ数のサブキャリアを占有するようにするステップを含む。
【００１０】
各ＭＴにＳＣＣＨをマッピングするステップは、対応するＰＳＣＣＨからの物理チャネルシンボルが、他のＭＴのそれぞれのＰＳＣＣＨと同じ位置マッピングパターンを有するようにするステップをさらに含むことができる。
【００１１】
本方法では、各ＭＴにＳＣＣＨをマッピングするステップは、物理チャネルシンボルを、その物理チャネルシンボルの対応するブロック内の連続したサブキャリア位置にマッピングするステップを含むことができる。代替的に本方法は、物理チャネルシンボルを、その物理チャネルシンボルの対応するブロック内の分散しているサブキャリア位置にマッピングするステップを含むことができる。
【００１２】
物理資源管理方法は好ましくは、ＰＳＣＣＨ毎に受信される少なくとも１つのチャネル品質指示（ＣＱＩ）に基づいて、少なくとも１つのＰＳＣＣＨに割り当てられる電力及び／又はサブキャリア位置を調整するステップを含む。
【００１３】
本方法は、ブロックのそれぞれ内でＰＳＣＣＨのそれぞれからの物理チャネルシンボルによって占有されるサブキャリア位置を選択して、そのブロック内の全てのＰＳＣＣＨに割り当てられる全電力が最小になるように選択するステップをさらに含む。代替的に本方法は、ＰＳＣＣＨのそれぞれからの物理チャネルシンボルによって占有されるサブキャリア位置を選択し、全送信帯域幅にわたって、全てのＰＳＣＣＨに割り当てられる全電力が最小になるように選択するステップを含むことができる。
【００１４】
割当ては、ＰＳＣＣＨ毎に受信される複数のＣＱＩに基づいて行うことができる。さらに本方法は、複数の送信時間間隔（ＴＴＩ）にわたって、受信されるＣＱＩを平均することによって、チャネル品質を評価するステップをさらに含むことができる。特定の実施の形態では、本方法は、同じ送信時間間隔（ＴＴＩ）において１つのＰＳＣＣＨによって占有される１組のサブキャリアに関連して受信される複数のＣＱＩを平均することによってチャネル品質を評価するステップをさらに含むことができる。
【００１５】
好ましい一形態では、広帯域通信システムは、直交周波数分割多重アクセス（ＯＦＤＭＡ）原理に従って動作する。
【００１６】
送信帯域幅は好ましくは、５ＭＨｚ、１０ＭＨｚ、１５ＭＨｚ及び２０ＭＨｚを含むグループから選択されることができる。ＭＴの最大受信帯域幅は、５ＭＨｚ、１０ＭＨｚ、１５ＭＨｚ又は２０ＭＨｚから選択することができる。ＭＴの最大受信帯域幅は、互いに対して異なることができる。
【００１７】
第２の態様において、本方法は、送信帯域幅を占有する複数の物理サブキャリアで送信すると共に、複数の移動端末と共に広帯域通信システムの一部を形成する基地局であって、先行する請求項のいずれか一項に記載の方法を実施する１つ又は複数の構成要素を備える、基地局を提供する。
【００１８】
本発明の種々の態様及び利点は、例示的な以下の詳細な説明からより明確に理解されるであろうが、本発明は、添付の図面に関連した実施形態には、限定されない。
【発明を実施するための最良の形態】
【００１９】
図２は、１つの基地局（ＢＴＳ）４４と、例示的なＵＥ４６、４７及び４８とを備える、１つの例示的なＯＦＤＭＡ広帯域通信システム４２を示す。基地局４４は、パケットスケジューラ５０と、スケジューリングされるＵＥ毎のＳＣＣＨ及びＳＤＣＨのためのトランスポートチャネル処理ブロック（それぞれ、参照符号５２及び５４によって表される）と、トランスポート及び他のチャネルと、物理チャネルマッピングブロック５６と、逆高速フーリエ変換（ＩＦＦＴ）プロセッサ５８と、サイクリックプレフィックス（ＣＰ）挿入ブロック６０と、無線周波数ブロック（ＲＦ）６１と、アンテナ６２とを備える。
【００２０】
各ＵＥ４６、４７及び４８は、アンテナ６４と、ＲＦ処理ブロック６６と、サイクリックプレフィックス除去ブロック６８と、高速フーリエ変換（ＦＦＴ）プロセッサ７０と、物理チャネルデマッピングブロック７２と、ＳＣＣＨ及びＳＤＣＨのためのトランスポート処理ブロック７４及び７６と、ＣＱＩ（チャネル品質指示）測定ブロック７８とを備える。
【００２１】
スケジューラブロック５０は、ＢＴＳ４４に接続される全てのＵＥ４６、４７、４８への全資源割当て及びデータ送信を制御する。各ＴＴＩにおいて、スケジューリングされるＵＥ（ＵＥ１  ４６等）毎に、ＵＥ１のための制御シグナリングブロックが、ＳＣＣＨトランスポートチャネルブロック５２に入力される。このブロックは、チャネルコーディング、レートマッチング、インターリービング、及びＵＥ１の識別によるあり得るマスキングのような、典型的な動作を実行するであろう。レートマッチングは、符号化されたデータを、多数の利用可能な物理シンボルに一致させるために用いられる。物理チャネルマッピングブロック５６は、ＵＥ１のＳＣＣＨトランスポートチャネルの出力を、他のスケジューリングされるＵＥ及び他のチャネルと共に、周波数及び時間グリッド内で割り当てられる物理資源にマッピングする（ただし、各ＴＴＩは、複数のＯＦＤＭシンボルから成り、各ＯＦＤＭシンボルは複数の周波数サブキャリアから成る）。物理チャネルマッピングブロック５６は、スケジューラブロック５０からの命令に従って、全ての物理チャネルのための電力スケーリングを実行する。ＯＦＤＭシンボル毎に、ＩＦＦＴは、物理周波数サブキャリアを時間領域信号に変換するために用いられる。その後、サイクリックプレフィックスが付加され、結果として生成された信号が、ＲＦブロック６２を経由して、ＵＥに送信されることになる。
【００２２】
各ＵＥ４６、４７、４８は、受信端において逆の処理を実行し、ＳＣＣＨを抽出し、その後ＳＤＣＨを抽出する。また、各ＵＥ４６、４７、４８は、ＢＴＳ４４に報告するためのＣＱＩ測定も実行する。
【００２３】
表１は、図２に示されるような、ＯＦＤＭＡ通信システム内のダウンリンク送信のための１組の例示的なパラメータを示す。
【００２４】
【表１】
2009524268.tif 000003
【００２５】
この表は特に、ＯＦＤＭＡシステムにおいて、送信帯域幅が異なると、サブキャリア（ＦＦＴ）サイズの全数、及びデータ送信のために利用可能なサブキャリアの数（占有されるサブキャリア）もそれに応じて異なることを示す。たとえば、５ＭＨｚの送信帯域幅を有するＢＴＳの場合、３０１個の連続したサブキャリアのブロックが利用可能であるのに対して、２０ＭＨｚの送信帯域幅能力を有するＢＴＳの場合、ダウンリンクにおいて情報を送信するために、１２０１個の連続したサブキャリアのブロックが利用可能である。
【００２６】
図３は、ＯＦＤＭＡシステムの一部を形成するＢＴＳと通信する種々の受信帯域幅能力を有する複数のＵＥのための１つの例示的なチャネルマッピングを示す。この例では、ＢＴＳは、２０ＭＨｚの送信帯域幅を有する。ＵＥ０＿１、ＵＥ０＿２、ＵＥ０＿３及びＵＥ０＿４はそれぞれ、２０ＭＨｚの受信帯域幅能力を有し、帯域８４にキャンプする。ＵＥ１＿１、ＵＥ１＿２、ＵＥ１＿３及びＵＥ１＿４はそれぞれ、１０ＭＨｚの受信帯域幅能力を有し、キャンプ帯域８４の半分と重なり合う帯域８６にキャンプする。同様に、ＵＥ２＿１、ＵＥ２＿２、ＵＥ２＿３及びＵＥ２＿４はそれぞれ、１０ＭＨｚの受信帯域幅能力を有し、キャンプ帯域８４の残りの半分と重なり合う帯域８８にキャンプする。ＵＥ３＿１、ＵＥ３＿２、ＵＥ３＿３及びＵＥ３＿４はそれぞれ、５ＭＨｚの受信帯域幅能力を有し、キャンプ帯域８６の半分と重なり合う帯域９０にキャンプし、一方、ＵＥ４＿１、ＵＥ４＿２、ＵＥ４＿３及びＵＥ４＿４はそれぞれ、５ＭＨｚの受信帯域幅能力を有し、キャンプ帯域８６の残りの半分と重なり合う帯域９２にキャンプする。
【００２７】
各ＵＥのＳＣＣＨのための物理チャネルマッピングは、基地局４４のパケットスケジューラ５０によって実行され、任意のＵＥ能力の場合のＰＳＣＣＨからの物理チャネルシンボルが、最も小さなＵＥ能力が対応することができる最大受信帯域幅によって規定される連続したサブキャリアのブロックに制限されるようになる。図３に示される例では、あらゆるＵＥの最も小さな最大受信帯域幅は５ＭＨｚである。したがって、任意のＵＥの場合のＰＳＣＣＨからの物理チャネルシンボルは、５ＭＨｚ帯域幅によって規定される３０１個の連続したサブキャリアのブロックに制限される。
【００２８】
１０ＭＨｚ、１５ＭＨｚ又は２０ＭＨｚの容量を有するユーザ装置（ＵＥ）が、より多くの数の連続したサブキャリアを利用できる場合であっても、ＰＳＣＣＨ毎に用いられる連続したサブキャリアのサイズを、システム内で動作することを意図されるあらゆるＵＥの最も小さな最大受信帯域幅によって規定されるサイズに制限することによって、異なるＵＥ能力のＳＣＣＨ間の衝突が回避され、結果として、基地局内のパケットスケジューラによって実行されるスケジューリングアルゴリズムと、各ＵＥが各ＳＣＣＨ上で受信する情報を解釈することができる態様との両方が簡単になる。各ＰＳＣＣＨが、そのシステム内で動作することができるあらゆるＵＥの最も小さな最大受信帯域幅に制限されない場合、ＵＥ１＿３（１０ＭＨｚの受信帯域幅能力を有する）並びにＵＥ３＿１、ＵＥ３＿２、ＵＥ３＿３及びＵＥ３＿４（５ＭＨｚの受信帯域幅能力を有する）を、同じ送信時間間隔（ＴＴＩ）において同時にスケジューリングすることができないであろう。さらに、必要とされるスケジューリングアルゴリズムが非常に複雑になるであろう。スケジューラは、サービス優先順位、データバッファのサイズ、チャネル品質指示（ＣＱＩ）等に基づいてＴＴＩ内でＵＥ毎に送信されるべきデータに優先順位を付けるという処理をする必要があるだけなく、異なる受信帯域幅能力を有するＵＥのＳＣＣＨ間の衝突を回避する必要もあるであろう。
【００２９】
図３に示される例示的な実施形態では、各ＰＳＣＣＨは、各５ＭＨｚ送信帯域幅内で、３００個の連続したアクティブサブキャリアのブロックのうちの４分の１だけを占有する。したがって、ＵＥ３＿１、ＵＥ３＿２、ＵＥ３＿３及びＵＥ３＿４のためのＳＣＣＨは、対応するＰＳＣＣＨからの物理チャネルシンボルが全て３００個の連続したアクティブサブキャリアの同じブロックに制限されるようにマッピングされる。
【００３０】
全てのＰＳＣＣＨからの物理チャネルシンボルは、各ブロック内で同じ数のサブキャリアを占有する。したがって、図３に示される例示的な実施形態では、各ＰＳＣＣＨは、３００個のアクティブサブキャリアの各ブロック内の７５個のサブキャリアを占有する。
【００３１】
また、全てのＰＳＳＣＨからの物理チャネルシンボルは、同じ位置マッピングパターンを共有する。図３及び図４では、物理チャネルシンボルが、各ブロック内の連続したサブキャリア位置にマッピングされる。したがって、ＵＥ３＿４、ＵＥ３＿３、ＵＥ３＿１及びＵＥ３＿２のためのＰＳＣＣＨ内の物理チャネルシンボル間に重なりはなく、各ＰＳＣＣＨの物理チャネルシンボルは、連続したサブキャリア位置を占有する。
【００３２】
別法では、ＰＳＣＣＨ毎の物理チャネルシンボルは、各ブロック内で分散したサブキャリア位置にマッピングされてもよい。図６は、この原理を示しており、ＵＥ１のためのＰＳＣＣＨからの物理チャネルシンボル９４〜１００が、３００個のアクティブサブキャリアのブロック内で分散したサブキャリア位置に如何にマッピングされるかを示す。同様に、ＵＥ２のＰＳＣＣＨのための物理チャネルシンボル１０２〜１０８は、その同じブロック内で、ＵＥ１のＰＳＣＣＨのための物理チャネルシンボルと同じマッピングパターンに従って、分散したサブキャリア位置にマッピングされる。具体的には、ＰＳＣＣＨの物理チャネルシンボルは、それぞれが数サブキャリアに及ぶ４つのサブブロックに配列され、そのサブブロックは、３００個のサブキャリアのブロックの全体を通して、均等な間隔で配置されるパターンで配列される。
【００３３】
全てのＰＳＣＣＨからの物理チャネルシンボルが３００個のアクティブサブキャリアの各ブロック内の同じ数のサブキャリアを占有すると共に同じ位置マッピングパターンを共有することによって、異なる送信帯域幅能力を有するＵＥのＰＳＣＣＨの割当を柔軟に最適化できると共に、多重化することができる。全てのＳＣＣＨが、最も小さなＵＥ能力の５ＭＨｚ受信帯域幅によって規定されるように送信されるので、そのようなシステムにおいてＳＣＣＨを管理するために必要とされるスケジューリングの複雑さを最低限に抑える。この要件は、高い能力のＵＥの場合のチャネルコーディング（又はパンクチャリング）レートが、低い能力のＵＥの場合よりも高いことを意味する。異なる能力を有するＵＥのためのＳＣＣＨのために同じ目標チャネル品質を達成するために、各ＵＥから基地局に送信されるＣＱＩ情報に従って、各ＳＣＣＨの電力割当てを制御することができる。
【００３４】
図３の例では、ＳＣＣＨ及びそのＳＤＣＨは、１つのＴＴＩ内の同じサブキャリア内に存在するように必ずしもスケジューリングされないこと、たとえば、ＵＥ３＿４のＳＣＣＨ及びその対応するＳＤＣＨは、最初の３００個のサブキャリアのブロックの両端に存在することに留意されたい。しかしながら、場合によっては、ＵＥ４＿３の場合のように、ＳＣＣＨ及びＳＤＣＨは、一列に並べられるか又は重ねられることがある。
【００３５】
いずれの場合でも、ＳＣＣＨ及びその対応するＳＤＣＨは、特定のＵＥがキャンプする受信帯域内に入る。したがって、５ＭＨｚ容量ＵＥ（たとえば、ＵＥ３＿１）のためのＳＤＣＨは、同じ３０１個のサブキャリアのブロック内に入ることになるのに対して、２０ＭＨｚ容量ＵＥ（たとえば、ＵＥ０＿１）のためのＳＤＣＨは、ＢＴＳの１２０１個のサブキャリアの送信帯域幅全体の中のいずれかの場所に入ることができる。
【００３６】
状況によっては、ＳＣＣＨは１つのＯＦＤＭシンボルには収まらないことがあるので、その場合には、そのＳＣＣＨは第２のシンボルにおいて続けられることがあることに留意されたい。この場合には、ＳＣＣＨ及びＳＤＣＨのチャネルのマッピングは、少なくとも部分的に重なり合うか、又は好ましくは完全に一列に並べられるべきである、すなわち同じサブキャリア上に存在すべきである。そのような状況が図４に示されており、図４は、ＯＦＤＭＡシステムの一部を形成するＢＴＳと通信する、異なる受信帯域幅能力を有する複数のＵＥのための代替のチャネルマッピングを示す。図４では、ＵＥ毎のＳＤＣＨ（及びＰＳＤＣＨ）及びその対応するＳＣＣＨは、一列に並べられるか又は少なくとも部分的に重なり合うようにマッピングされる。他の点では、図４は図３と同じである。例としてＵＥ３＿２、３＿１、３＿３及び３＿４を考える。それぞれの場合に、ＵＥ毎のＰＳＣＣＨ（１１０、１１２、１１４、１１６）は、ＢＴＳの送信帯域幅の最初の３００個のサブキャリアのブロック内にマッピングされる。対応する各ＰＳＤＣＨ（それぞれ、１２０、１２２、１２４、１２６）は、対応するＰＳＣＣＨのサブキャリア割当てと重なり合うサブキャリアの帯域にマッピングされる。
【００３７】
ＳＣＣＨの第１の部分及び第２の部分を一列に並べることによって（周波数領域内）、ＵＥによって実行される検出の量が最小限に抑えられる。たとえば、ＵＥは、第１のＯＦＤＭシンボルを受信するとき、そのＳＣＣＨが周波数領域内のどこに位置するかわからないので、これの検出を実行する必要がある。ＵＥがＳＣＣＨの部分１の位置を見つけると、そのＵＥが、ＳＣＣＨの部分２の位置を検出しなければならないのを避けるために、ＳＣＣＨの部分２が第２のＯＦＤＭシンボル内の同じ周波数位置に配置されることが非常に好都合である。
【００３８】
図５は、本発明の一実施形態において、各ＳＣＣＨの性能を制御するために、ＣＱＩに基づく電力制御を実行することができる方法を示す。
【００３９】
図５は、５ＭＨｚキャンプ帯域の状況を示しており、最大で４つのＵＥを１つのＴＴＩ上で同時にスケジューリングすることができる。この例では、各ＰＳＣＣＨは１組の連続したサブキャリア内に配置される。この構成では、ＵＥ毎のＳＣＣＨが、３００個のアクティブサブキャリアのブロック内で、４つの異なる７５個のサブキャリアの位置のうちの１つを占有することができる。一例としてＵＥ１を考える。図５は、１５０において、３００個のサブキャリアのブロック内でＵＥ１のためのＳＣＣＨが占有することができる４つの取り得る位置１５２、１５４、１５６、１５８を示す。ブロック１５０内の位置１５２、１５４、１５６、１５８毎に、ＵＥ１によって報告される平均ＣＱＩレベルが、バー１５２．１、１５４．１、１５６．１、１５８．１として示される。同様に、４つの１５２、１５４、１５６、１５８毎に、電力レベルが、バー１５２．２、１５４．２、１５６．２、１５８．２によって示される。これらの電力レベルは要求される送信電力を示しており、その結果、ＰＳＣＣＨが３００個のサブキャリアのブロック１５０内の特定の位置において送信される場合は、ＰＳＣＣＨのための受信電力が最小限の性能要求を満たすであろう。３００個のサブキャリアのブロック内の７５個のサブキャリアの位置１５２、１５４、１５６、１５８のそれぞれについて図から明らかであるように、報告されるＣＱＩの平均が高くなるほど、要求されるＴｘ電力が小さくなる。
【００４０】
同じ図がＵＥ２、３及び４の場合にも与えられており、それぞれ１６０、１６２及び１６４を付される。
【００４１】
上記のＣＱＩ情報を用いることによって、３００個のアクティブサブキャリアのブロック内でＰＳＣＣＨの位置割当を実行でき、周波数領域内でスケジューリングされる各ＵＥに対して、全てのＰＳＣＣＨに割り当てられる全電力が最小限に抑えられるように選択されるべきである。一般的に言うと、ＵＥが検出する平均ＣＱＩが高くなるほど、そのＰＳＣＣＨのために必要とされる電力割当てが低くなる。
【００４２】
この例において、結果として生じる電力割当て及び位置調整がグラフ１７０に示される。この事例では、ＵＥ１、３及び４の場合に、最小の電力要求１５２．２、１６２．１及び１６４．１をそれぞれ有するＰＳＣＣＨ割当てが、最終的な割当て１７０において用いられる。しかしながら、ＵＥ２の場合、ＵＥ毎の電力割当てではなく、全電力割当てを最小にする必要があることに起因して、割り当てられるＰＳＣＣＨ位置１６０．１は、最小の取り得る電力割当て１６０．２ではない。
【００４３】
或る特定の実施形態では、ＵＥがＰＳＣＣＨ位置当たり２つ以上のＣＱＩを報告する場合には、電力制御を、より高い分解能で実行することさえできる。この事例では、２つ以上の求められる電力の和が、そのＵＥに割り当てられる全電力に等しい。この点をさらに例示するために、一例が与えられる。この例では、各ＵＥは、３００個のサブキャリアのブロックのブロック当たり８つのＣＱＩを報告する（すなわち、場所当たり２ＣＱＩ）。
【００４４】
ユーザ毎に、４つの取り得る場所に対応する、報告されるＣＱＩ対を用いて、４つの平均ＣＱＩが計算される。次の４つの対応する電力レベルが、各場所に応じて計算される。
【００４５】
場所の２４（２４＝４！）の取り得る組み合わせ毎に（４つのＵＥがあり、３００個のサブキャリアのブロックに４つの取り得る場所があることを思い起こされたい）、全てのＵＥによって必要とされる全電力が計算される。その際、必要とする全電力が最小である組み合わせが選択される。
【００４６】
次の電力割当ては、割り当てられた７５個のサブキャリアの帯域を２つの部分（２つの報告されるＣＱＩに対応する）に分割すると共に、ＵＥにおいて全ての７５個のサブキャリアの場合に受信される電力が同じになるように、それらの７５個のサブキャリアに電力レベルを割り当てることによって実行される。
【００４７】
他の一実施形態では、スケジューリングされるＵＥ毎に、全送信帯域幅にわたって、ＰＳＣＣＨの場所を割り当てることによって、電力制御を実施することができる（３００個のアクティブサブキャリアのブロック内で割り当てるのとは対照的である）。この場合、周波数領域において、各ＰＳＣＣＨの場所が、全送信帯域幅にわたって全てのＰＳＣＣＨに割り当てられる全電力が最小になるように選択されるべきである。この場合、場所の割当ては、ＵＥ最大受信帯域幅、キャンピング帯域及びスケジューリングされる他のＵＥの存在等の、一定の制約を受けるであろう。
【００４８】
図６に示される分散物理資源割当てがＳＣＣＨ毎に適用される場合には、先に説明されたのと同じ電力制御の原理を用いることもできることは理解されよう。
【００４９】
本発明は、本発明の或る特定の実施形態を参照しながら図示及び説明されてきたが、添付の特許請求の範囲によって定められるような、本発明の精神又は範囲から逸脱することなく、形態及び細部に様々な変更を加えることができることは当業者には理解されよう。
【図面の簡単な説明】
【００５０】
【図１】２０ＭＨｚ送信帯域幅を有する広帯域ＯＦＤＭＡシステムにおける異なる受信能力を有する種々のＵＥ（すなわち、５ＭＨｚ  ＵＥ、１０ＭＨｚ  ＵＥ、１５ＭＨｚ  ＵＥ及び２０ＭＨｚ  ＵＥ）のキャンピング動作の概略図である。
【図２】本発明に従って動作する基地局及び複数のＵＥを備える通信システムの概略図である。
【図３】広帯域通信システム内で動作する異なる容量のＵＥのためのＳＣＣＨからＰＳＣＣＨへのマッピング、及びＳＤＣＨからＰＳＤＣＨへのマッピングの第１の実施形態の概略図である。
【図４】広帯域通信システム内で動作する異なる容量のＵＥのためのＳＣＣＨからＰＳＣＣＨへのマッピング、及びＳＤＣＨからＰＳＤＣＨへのマッピングの第２の実施形態の概略図である。
【図５】各ＳＣＣＨが１組の連続した物理アクティブサブキャリア上にマッピングされる、広帯域通信システムのＵＥを対象とするＳＣＣＨの電力制御を示す図である。
【図６】ＰＳＣＣＨが３００個の連続したアクティブサブキャリアの同じブロック内の分散したサブキャリアから成る、ＳＣＣＨのための物理チャネルマッピングを示す概略図である。
【図１】
2009524268.tif 000004
【図２】
2009524268.tif 000005
【図３】
2009524268.tif 000006
【図４】
2009524268.tif 000007
【図５】
2009524268.tif 000008
【図６】
2009524268.tif 000009
【国際調査報告】
2009524268.tif 000010